(57)【要約】【課題】パチンコ遊技機において賞球として払い出されたパチンコ球の数が所定個数あるかどうかを検査する払出賞球数検査装置であって、入賞口の賞球払出個数を短時間でしかも確実に検査できるようにする。【解決手段】パチンコ遊技機９の賞球払出装置の下流に球センサ１５ａ，１５ｂを装着するとともに、該球センサから得られるパルス信号により所定球数単位の賞球が連続的に流下しているかどうかを検知し、かつ、その所定球数単位の賞球の流下が所定回数あったかどうかを照合するデジタル信号検出器１６を備えてなる。デジタル信号検出器は、球センサから発信されたパルス信号の回数および周期を検出することにより所定球数単位の賞球が連続的に流下しているかどうかを検知する所定球数単位検出手段と、その所定球数単位の賞球の流下回数を検出する所定球数単位賞球流下回数検出手段と、パチンコ遊技機の固有の賞球払出特性が記憶された照合手段とからなる。【選択図】  図２
2004298255.tif 000002
【特許請求の範囲】
【請求項１】
パチンコ遊技機の賞球払出装置の下流に球センサを装着するとともに、該球センサから得られるパルス信号により所定球数単位の賞球が連続的に流下しているかどうかを検知し、かつ、その所定球数単位の賞球の流下が所定回数あったかどうかを照合するデジタル信号検出器を備えてなることを特徴とするパチンコ遊技機の払出賞球数検査装置。
【請求項２】
球センサをパチンコ遊技機の賞球払出装置の下流に着脱自在に装着した請求項１に記載のパチンコ遊技機の払出賞球数検査装置。
【請求項３】
デジタル信号検出器は、球センサから発信されたパルス信号の回数および周期を検出することにより所定球数単位の賞球が連続的に流下しているかどうかを検知する所定球数単位検出手段と、その所定球数単位の賞球の流下回数を検出する所定球数単位賞球流下回数検出手段と、パチンコ遊技機の固有の賞球払出特性が記憶された照合手段とからなるものである請求項１または２に記載のパチンコ遊技機の払出賞球数検査装置。
【発明の詳細な説明】
【０００１】
【発明の属する技術分野】
本発明はパチンコ遊技機において賞球として払い出されたパチンコ球の数が所定個数あるかどうかを検査する払出賞球数検査装置に関するものである。
【０００２】
【従来の技術】
【特許文献１】
特開２０００−１４０３２３号公報
【０００３】
パチンコ遊技機を工場から出荷するに先立ち、或いは遊技場に設置してから、そのパチンコ遊技機の賞球払出状態を検査するために、入賞口にパチンコ球を入れて球皿に払い出された賞球の数を数えることで所定個数が払い出されるかどうかを調べることをしていた。
【０００４】
また、従来から上記特許文献に記載されたように、予め決められた個数のパチンコ球を遊技盤面上の各入賞口に入れて、その結果払い出されるパチンコ球の数をデジタル計数器等により計数することもなされていた。
【０００５】
ところで、一般にパチンコ遊技機の入賞口は遊技盤面上に複数設けられており、入賞口によって払い出される賞球数が異なるものが一般的である。ところが従来の上記検査は、払い出された賞球の合計数を検査するだけのものであったので、実際に各入賞口に対応した個数の賞球が払い出されているかどうかは検査されず、不完全なものであった。また、入賞口にパチンコ球を入れて球皿に払い出されるまでに時間が掛かるので、パチンコ球を入れても実際にどの入賞口への入賞による払い出しであるのかを判断し難いという問題があった。
【０００６】
【発明が解決しようとする課題】
そこで本発明は、入賞口に対応する賞球の払出個数が精査されるようにすることで、賞球払出の良否を短時間で確実に検査することができる検査装置を提供しようとするものである。
【０００７】
【課題を解決するための手段】
そのために本発明は、パチンコ遊技機の賞球払出装置の下流に球センサを装着するとともに、該球センサから得られるパルス信号により所定球数単位の賞球が連続的に流下しているかどうかを検知し、かつ、その所定球数単位の賞球の流下が所定回数あったかどうかを照合するデジタル信号検出器を備えてなることを特徴とする。
また本発明は上記払出賞球数検査装置において、球センサをパチンコ遊技機の賞球払出装置の下流に着脱自在に装着したことを特徴とする。
また本発明は上記払出賞球数検査装置において、デジタル信号検出器は、球センサから発信されたパルス信号の回数および周期を検出することにより所定球数単位の賞球が連続的に流下しているかどうかを検知する所定球数単位検出手段と、その所定球数単位の賞球の流下回数を検出する所定球数単位賞球流下回数検出手段と、パチンコ遊技機の固有の賞球払出特性が記憶された照合手段とからなるものであることを特徴とする。
【０００８】
【発明の実施の形態】
次に図面に従い本発明の実施の形態を説明する。図１はパチンコ遊技機の正面図で、１はその遊技盤、２，３，４，５はその遊技盤面に設けられ、遊技球が入球するとその遊技球１個あたり５個の賞球が払い出される入賞口である。また、６は大当たり時にソレノイドの作動により扉が開かれることにより遊技球が入球し得るように遊技盤面に設けられた大入賞口で、該大入賞口に遊技球が入球すると１個あたり１５個の賞球が払い出される。７はこれらの賞球を貯留するために遊技機の前面に設けられた球皿である。
【０００９】
図２はこのパチンコ遊技機の裏面図で、８は該遊技機の上部に設けられた球タンク、９は該球タンクに貯留されたパチンコ球を上記のように賞球として払い出すために設けられた賞球払出装置である。なお。該賞球払出装置９はアクチュエータ１１の作動により同時に回転する一対のスプロケット状の回転体１２ａ，１２ｂが内蔵され、該各回転体１２ａ，１２ｂの回転数，回転角度が賞球払出コントローラにより制御されることにより賞球払出通路１３ａ，１３ｂを通し所定数の賞球が前記球皿７に払い出されるように構成されている。
【００１０】
しかして、賞球払出装置９の下流部に横孔１４ａ，１４ｂを形成し、該横孔に球センサ１５ａ，１５ｂが着脱可能に設けられるようにする。このため検査時に該球センサ１５ａ，１５ｂを該各横孔１４ａ，１４ｂに装着することにより、該賞球払出装置９から払い出された賞球が通過することで該球センサ１５ａ，１５ｂからパルス信号が発信されるようになる。１６は該球センサから発信されたパルス信号を受信するデジタル信号検出器である。
【００１１】
デジタル信号検出器１６は、図３のブロック図に示したように、球センサ１５ａ，１５ｂから発信されたパルス信号の回数および周期を検出することにより、所定球数単位の賞球が連続的に流下しているかどうかを検知する所定球数単位検出手段と、その所定球数単位の賞球の流下回数を検出する所定球数単位賞球流下回数検出手段と、パチンコ遊技機の固有の賞球払出特性が記憶された照合手段とからなり、該照合手段には検査するパチンコ遊技機の固有の賞球払出特性が記憶される。この賞球払出特性は、各入賞口の賞球払出数によって固有のデジタル信号となり得るもので、このパチンコ遊技機の場合は、入賞口２，３，４，５、および大入賞口６に遊技球を夫々１個宛その順番で入賞させることにより、先ず５個の賞球が一塊となって連続的に払い出され、次にまた５個の賞球が一塊となって連続的に払い出され、同様の賞球塊の払い出しが４回あった後、１５個の賞球が一塊となって１回で払い出されることとなるので、図４に例示したように、このような入賞をさせた場合に発信されるデジタル信号をこのパチンコ遊技機固有の賞球払出特性として記憶するものである。そして、このデジタル信号と球センサ１５ａ，１５ｂから実際に発信されたデジタル信号との同一性が前記照合手段により照合される。即ち、検査のために各入賞口に遊技球を入れる順番を予め決めておき、その順番で遊技球を入れた場合に発信されるべきデジタル信号を照合手段に記憶させておいて、そのデジタル信号と、実際に発信されたデジタル信号とを照合し、その照合結果を青色の表示ランプ１７または赤色の表示ランプ１８を点灯することにより表示する。このため、遊技球を各入賞口に決まった順番で入れるだけで短時間でこのパチンコ遊技機の賞球払出状況の良否を検査することができる。
【００１２】
なお、上記賞球払出特性は、回転体１２ａ，１２ｂの回転速度、停止時間等によってバラツキがあるので、上記照合における同一性の判断は、このバラツキによって発生する誤差を許容するものとする。
【００１３】
図５はこの払出賞球数検査装置のフローチャートを示す。このフローチャートは、直前に通過した賞球の時刻Ｐ１と、その直後に通過した賞球の時刻Ｐ２を読み込めば、賞球の払出間隔Ｐは（Ｐ２−Ｐ１）で表されることから、この払出間隔Ｐが所定間隔Ｋ以下である場合は連続球と判別し、所定間隔Ｋ以上Ｍ以下である場合はインターバルと判別し、所定間隔Ｍ以上である場合は払出停止と判別する。これによって前記照合手段がこの賞球払出装置の良否を判定することを可能としている。
【００１４】
【発明の効果】
このように本発明に係るパチンコ遊技機の払出賞球数検査装置によれば、パチンコ遊技機の賞球払出装置の下流に球センサを装着するとともに、該球センサから得られるパルス信号により所定球数単位の賞球が連続的に流下しているかどうかを検知し、かつ、その所定球数単位の賞球の流下が所定回数あったかどうかを照合するデジタル信号検出器を備えてなるので、従来のように賞球の合計数のみに依ることなく、各入賞口の賞球払出個数を短時間でしかも確実に検査することを可能にする。
【図面の簡単な説明】
【図１】本発明の実施形態を示したパチンコ遊技機の正面図。
【図２】図１のパチンコ遊技機の裏面とデジタル信号検出器の斜視図。
【図３】本発明の実施形態を示すデジタル信号検出器のブロック図。
【図４】本発明の実施形態を示すデジタル信号のタイミングチャート。
【図５】本発明の実施形態を示す払出賞球数検査装置のフローチャート。
【符号の説明】
１                遊技盤
２，３，４，５    入賞口
６                大入賞口
９                賞球払出装置
１３ａ，１３ｂ    賞球払出通路
１４ａ，１４ｂ    横孔
１５ａ，１５ｂ    球センサ
１６              デジタル信号検出器
１７，１８        表示ランプ
【図１】
2004298255.tif 000003
【図２】
2004298255.tif 000004
【図３】
2004298255.tif 000005
【図４】
2004298255.tif 000006
【図５】
2004298255.tif 000007